(57)【要約】【課題】電気泳動ゲル中の核酸の励起光の照射によるダメージを大幅に減少させることができ、しかもゲルのバンドが位置する部位の切り出しの作業時間も充分に確保でき、切り出しの作業確実性を向上させることができる泳動ゲル用トランスイルミネータの提供。【解決手段】ゲル設置面２１ａを形成する透光板２１を有する筐体２０内に励起光を出力する光源３０を内蔵しており、さらに、前記筐体２０内に、前記透光板２１と前記光源３０との間を開閉する遮光シート４０を収納し、この遮光シート４０に開閉操作用の可動部材５０を取り付けてある泳動ゲル用トランスイルミネータ１０を提供する。【選択図】図４
2010019579.tif 000002
【特許請求の範囲】
【請求項１】
核酸又はタンパク質の電気泳動ゲルに、該ゲル中の前記核酸又はタンパク質の分子を染色した蛍光性染色剤を励起させ蛍光を発生させる励起光を照射する泳動ゲル用トランスイルミネータであって、
筐体と、この筐体内に収納され前記励起光を出力する光源と、前記筐体の一部を構成し前記励起光を透過する透光板と前記光源との間に確保された空間に介在される遮光シートと、前記遮光シートの前記筐体に取り付けられた基端部とは反対の側の端部に取り付けられ、前記筐体において前記透光板に対して垂直の向きで前記透光板と前記光源との間の前記空間を取り囲むように設けられている側壁部に前記透光板に沿って延在形成された長穴の長手方向に移動される可動部材とを具備し、前記透光板の前記筐体の内側空間とは反対側の面であるゲル設置面に前記電気泳動ゲルが設置されるようになっており、
前記可動部材は、前記長穴を介して前記筐体の外側に突出された操作ハンドル部を有し、
前記遮光シートの前記基端部は前記長穴の長手方向において前記光源と前記透光板との間の前記空間を避けた位置に設けられ、前記可動部材を移動することで前記光源から前記透光板への前記励起光の照射範囲が変更されることを特徴とする泳動ゲル用トランスイルミネータ。
【請求項２】
前記長穴の長手方向において前記光源と前記透光板との間の前記空間を介して両側の一方に前記基端部を有する前記遮光シートである第１遮光シートと、この第１遮光シートの前記基端部とは反対の側の端部に取り付けられた前記可動部材である第１可動部材と、前記光源と前記透光板との間の前記空間を介して前記第１遮光シートとは反対の側に前記基端部を有する前記遮光シートである第２遮光シートと、この第２遮光シートの前記基端部とは反対の側の端部に取り付けられた前記可動部材である第２可動部材とを具備し、
前記第１可動部材の前記操作ハンドル部と前記第２可動部材の前記操作ハンドル部とが、前記長穴を介して前記筐体の外側に突出されていることを特徴とする請求項１記載の泳動ゲル用トランスイルミネータ。
【請求項３】
さらに、前記筐体の前記側壁部に前記透光板に沿い前記長穴の長手方向に対して直交する向きで延在形成された第２長穴と、この第２長穴の延在方向において前記光源と前記透光板との間の前記空間を避けた位置にて前記筐体に取り付けて設けられた前記遮光シートである補助遮光シートと、この補助遮光シートの前記筐体に取り付けられた基端部とは反対の側の端部に取り付けられ前記第２長穴の延在方向に沿って移動される前記可動部材である補助可動部材とを具備することを特徴とする請求項１又は２記載の泳動ゲル用トランスイルミネータ。
【請求項４】
前記可動部材は、前記筐体において前記透光板と前記光源との間に確保された空間を介して両側に位置する側壁部に架け渡すようにして設けられた棒状部と、この棒状部に突設された前記操作ハンドル部とを具備し、
前記筐体の側壁部に、前記可動部材の前記棒状部の移動を案内するための案内部が設けられていることを特徴とする請求項１〜３のいずれかに記載の泳動ゲル用トランスイルミネータ。
【請求項５】
前記筐体は、前記光源と前記透光板との間の前記空間と前記遮光シートの基端部との間に前記遮光シートを収納するための遮光シート格納部を具備することを特徴とする請求項１〜４のいずれかに記載の泳動ゲル用トランスイルミネータ。
【請求項６】
前記遮光シートは、波形に屈曲され、伸長及び折り畳みを自在に行えるようになっていることを特徴とする請求項１〜５のいずれかに記載の泳動ゲル用トランスイルミネータ。
【発明の詳細な説明】
【技術分野】
【０００１】
本発明は、核酸またはタンパク質の電気泳動ゲルに、該ゲル中の前記核酸あるいはタンパク質の分子を染色した蛍光性染色剤を励起させ蛍光を発生させる励起光を照射する泳動ゲル用トランスイルミネータに関する。
【背景技術】
【０００２】
ＤＮＡ、ＲＮＡ等の核酸を分析する方法として、核酸をアガロースゲルやポリアクリルイミドゲルといったゲル中で電気泳動して分離（例えばＤＧＧＥ法。ＤＧＧＥ:Denaturing Gradient Gel Electrophoresis  変性剤濃度勾配ゲル電気泳動法）し、これを蛍光法にて観察する方法が広く行われている。
核酸を含むサンプルをゲル中で電気泳動させると、核酸がその分子量の違い等に応じた移動速度の違いによって分離される。ゲル中の核酸は、核酸分子に結合する蛍光性染色剤（以下、単に染色剤とも言う。例えばエチジウムブロマイド）を用いて染色する。染色剤は、その溶液をゲルの作成時にゲルに加える、あるいは、染色剤の溶液を加えたサンプルをゲルに設置して電気泳動する、あるいは、サンプルの電気泳動後にゲルを染色剤溶液に浸す、といった手法によりゲル中に混入させ、核酸分子に結合させる。また、余剰の染色剤は洗い流す。
【０００３】
前記染色剤としては、紫外線を励起光として蛍光を発するものが広く用いられている（例えば特許文献１、２）。このような染色剤を用いた場合、電気泳動後のゲルに紫外線を照射すると、核酸と結合している染色剤が蛍光を発することで、電気泳動によって分離された核酸の位置が視認可能となる。サンプルに含まれる核酸は、その分子量、サイズ等によって、電気泳動の際の移動速度が決まる。そしてサンプル中の核酸は電気泳動の際の移動速度に応じたバンドを形成する。ゲルの内、所望のバンドを含む部位を切り出して、ＰＣＲ分析（ＰＣＲ:Polymerase Chain Reaction。ポリメラーゼ連鎖反応）等を行うことができる。
【０００４】
ここで、ゲルに染色剤の励起光を照射する照射装置をトランスイルミネータと称する。このトランスイルミネータとしては、紫外線を照射するために紫外線ランプを備えたものが広く採用されている。
【特許文献１】特開平７−１９０９３４号公報
【特許文献２】特開２００３−１９４７２１号公報
【発明の開示】
【発明が解決しようとする課題】
【０００５】
上述の分析方法の場合、紫外線の照射による核酸分子のダメージ（損傷）を減らすため、波長が長め（例えば３００ｎｍ以上）の紫外線ランプを搭載したトランスイルミネータを使用するといった対策がある。しかしながら、核酸分子の損傷を出来るだけ小さくするには核酸が紫外線に晒される時間を短縮する必要があり、ゲルからのバンドの切り出し作業を出来るだけ手早く行う必要があり、作業者の負担が大きかった。
また、ゲルからのバンドの切り出しは手作業で１バンドずつ行うため作業時間の短縮には限界がある。トランスイルミネータは紫外線ランプを点灯させるとゲル全体に紫外線を照射する構成になっているものが一般的であるため、サンプル数が多い場合は切り出しの順番が後のものほど紫外線に晒される時間が長く核酸分子の損傷が激しくなり、その結果、核酸の損傷によりＰＣＲ分析の成功率が低くなるといった問題があった。
【０００６】
また、近年では、可視光域の光を励起光として使用するトランスイルミネータも開発されており実用化されているが、励起光の照射時間が長いと核酸の分子構造に影響を与える可能性がある。このため、可視光域の光を染色剤の励起光として用いる場合も、励起光の照射による影響を抑えたいという要求がある。
【０００７】
本発明は、前記課題に鑑みて、簡単な構成で励起光の照射による核酸のダメージ（損傷）を大幅に減少させることができ、しかもゲルのバンドが位置する部位の切り出しの作業時間も充分に確保でき、切り出しの作業確実性を向上させることができる泳動ゲル用トランスイルミネータの提供を目的としている。
【課題を解決するための手段】
【０００８】
上記課題を解決するために、本発明では以下の構成を提供する。
第１の発明は、核酸又はタンパク質の電気泳動ゲルに、該ゲル中の前記核酸又はタンパク質の分子を染色した蛍光性染色剤を励起させ蛍光を発生させる励起光を照射する泳動ゲル用トランスイルミネータであって、筐体と、この筐体内に収納され前記励起光を出力する光源と、前記筐体の一部を構成し前記励起光を透過する透光板と前記光源との間に確保された空間に介在される遮光シートと、前記遮光シートの前記筐体に取り付けられた基端部とは反対の側の端部に取り付けられ、前記筐体において前記透光板に対して垂直の向きで前記透光板と前記光源との間の前記空間を取り囲むように設けられている側壁部に前記透光板に沿って延在形成された長穴の長手方向に移動される可動部材とを具備し、前記透光板の前記筐体の内側空間とは反対側の面であるゲル設置面に前記電気泳動ゲルが設置されるようになっており、前記可動部材は、前記長穴を介して前記筐体の外側に突出された操作ハンドル部を有し、前記遮光シートの前記基端部は前記長穴の長手方向において前記光源と前記透光板との間の前記空間を避けた位置に設けられ、前記可動部材を移動することで前記光源から前記透光板への前記励起光の照射範囲が変更されることを特徴とする泳動ゲル用トランスイルミネータを提供する。
第２の発明は、前記長穴の長手方向において前記光源と前記透光板との間の前記空間を介して両側の一方に前記基端部を有する前記遮光シートである第１遮光シートと、この第１遮光シートの前記基端部とは反対の側の端部に取り付けられた前記可動部材である第１可動部材と、前記光源と前記透光板との間の前記空間を介して前記第１遮光シートとは反対の側に前記基端部を有する前記遮光シートである第２遮光シートと、この第２遮光シートの前記基端部とは反対の側の端部に取り付けられた前記可動部材である第２可動部材とを具備し、前記第１可動部材の前記操作ハンドル部と前記第２可動部材の前記操作ハンドル部とが、前記長穴を介して前記筐体の外側に突出されていることを特徴とする第１の発明の泳動ゲル用トランスイルミネータを提供する。
第３の発明は、さらに、前記筐体の前記側壁部に前記透光板に沿い前記長穴の長手方向に対して直交する向きで延在形成された第２長穴と、この第２長穴の延在方向において前記光源と前記透光板との間の前記空間を避けた位置にて前記筐体に取り付けて設けられた前記遮光シートである補助遮光シートと、この補助遮光シートの前記筐体に取り付けられた基端部とは反対の側の端部に取り付けられ前記第２長穴の延在方向に沿って移動される前記可動部材である補助可動部材とを具備することを特徴とする第１又は第２の発明の泳動ゲル用トランスイルミネータを提供する。
第４の発明は、前記可動部材は、前記筐体において前記透光板と前記光源との間に確保された空間を介して両側に位置する側壁部に架け渡すようにして設けられた棒状部と、この棒状部に突設された前記操作ハンドル部とを具備し、前記筐体の側壁部に、前記可動部材の前記棒状部の移動を案内するための案内部が設けられていることを特徴とする第１〜３のいずれかの発明の泳動ゲル用トランスイルミネータを提供する。
第５の発明は、前記筐体は、前記光源と前記透光板との間の前記空間と前記遮光シートの基端部との間に前記遮光シートを収納するための遮光シート格納部を具備することを特徴とする第１〜４のいずれかの発明の泳動ゲル用トランスイルミネータを提供する。
第６の発明は、前記遮光シートは、波形に屈曲され、伸長及び折り畳みを自在に行えるようになっていることを特徴とする第１〜５のいずれかの発明の泳動ゲル用トランスイルミネータを提供する。
【発明の効果】
【０００９】
本発明に係る泳動ゲル用トランスイルミネータによれば、透光板と光源との間の空間に引き込むことができる開閉自在の遮光シートを具備しており、前記光源と前記透光板との間に遮光シートを介在させることで、光源から出力された励起光を、遮光シートによって、透光板及び該透光板のゲル設置面に設置された電気泳動ゲルに達しないように遮光できる。また、筐体の外側に突出された操作ハンドルを操作して可動部材を移動することで、光源から出力された励起光を遮光シートで遮光する範囲、前記光源から前記透光板への前記励起光の照射範囲を変更できる。
【００１０】
光源から出力された励起光を遮光シートで遮光した領域（遮光領域）では、励起光の照射によって、核酸あるいはタンパク質（以下、核酸、タンパク質を、分析対象物質、と総称する場合がある）がダメージ（損傷）を受けることを防止できる。
電気泳動により得られたバンドの把握、ゲルのバンドが位置する部位の切り出しといった作業は、前記光源からの出力光を前記透光板に照射させた領域（照射領域）にて行う。照射領域は、ゲルにおいてバンドに対応する部位の切り出し等の作業を行う領域に限定する。これにより、切り出し作業を行う前の核酸への励起光の照射を短時間に抑えることができる。したがって、励起光の照射による分析対象物質のダメージ（損傷）を大幅に減少させることができる。その結果、ゲルのバンドが位置する部位の切り出しの作業時間を充分に確保できるようになるため、作業を焦って切り出しを失敗するといったケースを減少させることができ、切り出しの作業確実性を向上できるといった利点もある。
【発明を実施するための最良の形態】
【００１１】
以下、本発明を実施した泳動ゲル用トランスイルミネータ（以下、トランスイルミネータと略記する場合がある）について、図面を参照して説明する。
【００１２】
（第１実施形態）
まず、本発明に係る第１実施形態のトランスイルミネータを説明する。
図１はトランスイルミネータ１０を示す正面図、図２はトランスイルミネータ１０を示す斜視図、図３は図１のＡ−Ａ線断面矢視図、図４（ａ）〜（ｃ）はトランスイルミネータ１０に設けられている遮光シート４０の可動端４２の位置の変更による、透光板２１及び透光板２１のゲル設置面２１ａに設置した電気泳動ゲルＧ（単にゲルとも言う）における励起光の照射範囲の変更を説明する図である。
なお、図１乃至図４（ａ）〜（ｃ）において、上側を上、下側を下として説明する。
【００１３】
図１乃至図４（ａ）〜（ｃ）に示すように、トランスイルミネータ１０は、核酸又はタンパク質を含むサンプルを電気泳動させたゲルＧに、ゲルＧ中の前記核酸又はタンパク質の分子を染色した蛍光性染色剤を励起させ蛍光を発生させる励起光を照射するものであり、筐体２０と、この筐体２０内に収納され前記励起光を出力する光源３０と、前記筐体２０の一部を構成する透光板２１と前記光源３０との間に確保された空間２２（以下、シート引き込み用空間とも言う）に介在される遮光シート４０と、この遮光シート４０の前記筐体２０に取り付けられた基端部４１とは反対の側の端部（可動端４２）に取り付けられた可動部材５０とを具備する。
【００１４】
なお、以下、ゲルＧとして、電気泳動によって核酸分子を分離した電気泳動ゲル（電気泳動済みのゲル）を用いた例を説明するが、これにかえて、ゲルＧとして電気泳動によってタンパク質分子を分離したゲルを用いることも可能であることは言うまでも無い。
ゲル中での電気泳動によって、移動速度に応じたバンドを形成することは、タンパク質の電気泳動を行ったゲルの場合も、核酸の電気泳動を行ったゲルの場合と同様である。
【００１５】
前記筐体２０は箱形に形成されており、底板２３（図３、図４（ａ）〜（ｃ）参照）と、この底板２３に四角枠状に立設された４つの側壁部２４と、四角枠状に設けられた前記側壁部２４の底板２３とは反対の側を塞ぐゲル設置板２５とを具備して構成されている。
ゲル設置板２５は、四角枠状の枠板２５ａの内側の開口部２５ｂに透光板２１を固定したものである。このゲル設置板２５は、四角枠状に設けられた側壁部２４の前記底板２３とは反対側の端部に四角枠状の枠板２５ａを固定して設けられ、四角枠状に設けられた前記側壁部２４の前記底板２３とは反対側を塞ぐように配置されている。このゲル設置板２５は底板２３と平行になっている。
【００１６】
透光板２１の筐体２０の内側空間２６に臨む面（裏面２１ｂ）とは反対の側の面は、シート状に形成された電気泳動ゲルＧが設置される平坦面であるゲル設置面２１ａとされている。
図示例の筐体２０において、この透光板２１は、その外周が、ゲル設置板２５の枠板２５ａの内周と一致する四角板状に形成されている。また、筐体２０において、ゲル設置板２５の枠板２５ａは、四角枠状に設けられた前記側壁部２４からその内周側に張り出すように設けられており、透光板２１はその裏面２１ｂ全体が筐体２０の内側空間２６に臨むように配置されている。
【００１７】
筐体２０の４つの側壁部２４は、透光板２１に対して垂直の向きで設けられており、筐体２０内にて前記シート引き込み用空間２２を取り囲むように配置されている。
４つの側壁部２４の内のひとつには、可動部材５０の移動を案内するための長穴２７が形成されている。前記長穴２７は透光板２１に沿って延在するように形成されている。
【００１８】
なお、このトランスイルミネータ１０について、長穴２７の長手方向に沿う方向を、以下、横方向、該横方向に垂直かつ透光板２１（詳細にはゲル設置面２１ａ）に沿う方向を、以下、縦方向と称して説明する場合がある。
筐体２０の４つの側壁部２４の内、前記長穴２７が形成されている側壁部２４である操作側壁部２４１と筐体２０の内側空間２６を介して操作側壁部２４１に対向する側壁部２４である奥壁部２４４とは、横方向に延在する長板状になっている。操作側壁部２４１及び奥壁部２４４以外の２つの側壁部２４（端部壁２４２、２４３）は、操作側壁部２４１及び奥壁部２４４に対して垂直になっている。
また、四角板状の透光板２１は、外周の４辺の内の２辺が横方向、他の２辺が縦方向となる向きで設けられている。
【００１９】
光源３０は、電気泳動ゲルＧ中の核酸分子に結合させた染色剤（蛍光性染色剤）を励起させて蛍光を発生させる励起光を出力する。周知のように、染色剤は、個々に、蛍光を発するために好適な励起波長を持つものが一般的である。光源３０は、染色剤の励起波長に対応する波長の光を励起光として出力するものである。
光源３０としては、例えば、励起光として紫外線を出力する紫外線ランプであるが、可視光を出力するランプであっても良い。
なお、透光板２１としては、光源３０が出力する励起波長の光を透過するものを採用する。
【００２０】
図３、図４（ａ）〜（ｃ）に示すように、光源３０は円筒管状に形成されており、筐体２０内において前記長穴２７の長手方向に沿う複数箇所（横方向の複数箇所）に設置され、それぞれ縦方向に延在されている。但し、光源３０としては、出力光を直接あるいは筐体２０内に設けた反射板を介して透光板２１全体に略均等に照射できるようになっていれば良く、円筒管状のものに限定されず、例えば、面発光タイプのもの等も採用可能である。
【００２１】
このトランスイルミネータ１０は、筐体２０の底板２３側が下、ゲル設置板２５側が上となる向き（以下、横置き状態）で使用されるものとして説明する。
電気泳動ゲルＧは、透光板２１が形成するゲル設置面２１ａ上に重ね合わせるようにして設置される。このトランスイルミネータ１０では、光源３０から出力された励起光が透光板２１を透過して、ゲル設置面２１ａに設置された電気泳動ゲルＧに照射されるようになっている。
【００２２】
図１、図２において、符号３１は、光源３０の電源のオン・オフ切り換え用のスイッチである。
図１、図２においては、このスイッチ３１は、筐体２０の４つの側壁部２４の内、前記長穴２７が形成されている側壁部２４である操作側壁部２４１に設けられているが、スイッチ３１の設置位置は操作側壁部２４１以外の側壁部２４であっても良い。また、スイッチ３１は、筐体２０から延出させたケーブルに取り付け、筐体２０から離れた位置に設置しても良い。
【００２３】
図示例のトランスイルミネータ１０には、２枚の遮光シート４０と、２つの可動部材５０とが設けられている。
遮光シート４０は、それぞれ、その長手方向片端（基端部４１）を、筐体２０の４つの側壁部２４の内の前記操作側壁部２４１に隣り合う一対の側壁部２４（端部壁２４２、２４３）の片方に取り付けている。図４（ａ）〜（ｃ）において、符号２４ａは、遮光シート４０の長手方向片端（基端部４１）を筐体２０（具体的には端部壁）に固定するための固定部品である。
【００２４】
このトランスイルミネータ１０には、遮光シート４０の可動端４２に可動部材５０を取り付けてなる遮光ユニット６０が２つ（第１遮光ユニット６０Ａと第２遮光ユニット６０Ｂ）設けられている。
２つの遮光ユニット６０の一方（第１遮光ユニット６０Ａ）は、遮光シート４０（以下、第１遮光シート４０Ａとも言う）の長手方向片端（基端部４１）を筐体２０の一対の端部壁２４２、２４３の一方（ここでは符号２４２の端部壁）に取り付けている。他方の遮光ユニット６０の（第２遮光ユニット６０Ｂ）の遮光シート４０（以下、第２遮光シート４０Ｂとも言う）は、その長手方向片端（基端部４１）を一対の端部壁２４２、２４３の他方（ここでは符号２４３の端部壁）に取り付けている。
【００２５】
また、このトランスイルミネータ１０の２つの遮光ユニット６０（第１遮光ユニット６０Ａと第２遮光ユニット６０Ｂ）のそれぞれに設けられている可動部材５０は、いずれも、前記操作側壁部２４１に形成されている１本の長穴２７に案内されて、該長穴２７の長手方向に沿って移動自在（横方向に移動自在）になっている。
第１遮光シート４０Ａと該第１遮光シート４０Ａの可動端４２に取り付けた可動部材５０（第１可動部材５０Ａ）とからなる遮光ユニット６０が第１遮光ユニット６０Ａ、第２遮光シート４０Ｂと該第２遮光シート４０Ｂの可動端４２に取り付けた可動部材５０（第２可動部材５０Ｂ）とからなる遮光ユニット６０が第２遮光ユニット６０Ｂである。
【００２６】
前記可動部材５０は、前記操作側壁部２４１に垂直の向き（つまり、縦方向に延在する向き）で筐体２０の内側空間２６を横切るようにして設けられた棒状部５１と、この棒状部５１の前記操作側壁部２４１の前記長穴２７に挿入された端部（以下、操作側端部とも言う。符号５１ａ）から筐体２０の外側に突出された操作ハンドル部５２とを具備している。可動部材５０の棒状部５１は、シート引き込み用空間２２を介して両側に位置する側壁部２４１、２４４に架け渡すようにして設けられている。
【００２７】
図２、図３等に示すように、前記可動部材５０の棒状部５１の操作側端部５１ａとは反対側の端部（以下、奥側端部５１ｂとも言う）は、筐体２０において内側空間２６を介して前記操作側壁部２４１と対向する側壁部２４である奥壁部２４４に前記操作側壁部２４１の長穴２７と平行に形成された案内溝２８に挿入されている。そして、この可動部材５０は、棒状部５１の両端が、前記長穴２７と案内溝２８とによって案内されて、長穴２７の長手方向、案内溝２８の長手方向に移動自在になっている。
【００２８】
図５、図６に示すように、遮光シート４０は、前記光源３０から出力される励起光を遮光できる帯状の可撓性のシート状部材に山折り部４３ａと谷折り部４３ｂとを形成したものである。山折り部４３ａと谷折り部４３ｂとは、シート状部材の長手方向に交互に配列されるようにそれぞれ複数形成されている。山折り部４３ａ及び谷折り部４３ｂは、シート状部材の長手方向に垂直の向きで互いに平行な線状に形成されている。この遮光シート４０は、山折り部４３ａ及び谷折り部４３ｂがそれぞれ縦方向に延在する向きで筐体２０内に収納されている。
【００２９】
以下、山折り部４３ａ及び谷折り部４３ｂを総称して屈曲部４３とも言う。
図４（ａ）〜（ｃ）に示すように、この遮光シート４０は、筐体２０のゲル設置板２５と底板２３との間において、筐体２０に取り付けられている基端部４１から可動部材５０にわたって延在するように設けられる。可動部材５０は、基端部４１から横方向（長穴２７の長手方向に沿う方向）に離隔した位置に設けられる。
【００３０】
遮光シート４０は、筐体２０内において基端部４１から可動部材５０にわたって横方向に延在配置される。
遮光シート４０の屈曲部４３の内、山折り部４３ａとは、筐体２０のゲル設置板２５側（図５において上側）に向かって凸のものを指す。谷折り部４３ｂは、山折り部４３ａとは逆に、筐体２０の底板２３側（図５において下側）に凸（ゲル設置板２５に対して凹）のものを指す。
【００３１】
前記遮光シート４０を構成するシート状部材としては、例えば合成樹脂製の一体成形品であるが、この他、合成繊維あるいは天然繊維によって形成した織布又は不織布、織布あるいは不織布に合成樹脂材料を含浸あるいは塗布したもの等も使用可能である。
光源３０から放射される紫外線を遮光する遮光シート４０としては、例えば酸化チタン、酸化亜鉛といった紫外線吸収材料を混入した合成樹脂材料からなるもの、紫外線吸収材料を含む塗料の塗膜である紫外線吸収層を具備するもの等を挙げることができる。光源３０が放射する励起光が紫外線である場合、遮光シート４０としては少なくとも紫外線を遮光（遮蔽）できるものであれば良いが、さらに可視光域の光も遮光できるものを採用しても良い。
【００３２】
屈曲部４３は、遮光シート４０を構成するシート状部材を折り曲げて曲げ癖を与えるなどして賦形するか、あるいは、シート状部材の成形時にシート状部材を局所的に曲がった形状に成形することで形成される。
【００３３】
図５においては、遮光シート４０の可動端４２を可動部材５０の棒状部５１の外周方向の一部のみを覆うように被着して固定した構成を例示している。遮光シート４０の可動部材５０に対する取り付け手段としては、例えば接着剤による接着、ねじ止め等の機械的固定等を挙げることができる。
【００３４】
また、遮光シート４０の可動端４２の可動部材５０に対する取り付け構造としてはこれに限定されず、例えば、遮光シート４０の可動端４２を可動部材５０の棒状部５１にその外周面を覆うように被着して固定した構造や、遮光シート４０の可動端４２を筒状に形成した筒状部の内側に可動部材５０の棒状部５１を収納した構造や、可動部材５０の棒状部５１に設けたクランプ部品に遮光シート４０の可動端４２をクランプ固定した構成（但し棒状部５１と遮光シート４０との間に隙間が無いようにする）等も採用可能である。また、可動部材５０の棒状部５１自体を遮光シート４０をクランプ固定する半割り構造のものとし、この棒状部５１に遮光シート４０の可動端４２を挟み込んで固定した構成や、棒状部５１に貫設したスリットに遮光シート４０の可動端４２を貫通させ接着剤による接着固定などで棒状部５１に固定した構成等も採用可能である。
【００３５】
可動部材５０の棒状部５１には励起光を遮光する遮光性を確保する。棒状部５１の外側を覆うように遮光シート４０を設ける構成や、遮光シート４０を棒状部５１を貫通するように設ける構成であれば、遮光シート４０によって、棒状部５１に励起光を遮光する遮光性を確保することが可能である。また、棒状部５１として励起光を透過しない構成のものを採用すれば、遮光シート４０を利用しなくても、棒状部５１全体の遮光性を確保することが可能であることは言うまでも無い。棒状部５１の遮光性の確保に遮光シート４０を利用する構成の場合も、棒状部５１として励起光を透過しない構成のものを採用することが好ましい。
【００３６】
前記可動部材５０は、トランスイルミネータ１０を使用して電気泳動ゲルＧの観察等の作業を行う作業者が手指で前記操作ハンドル部５２を操作することで、手動で長穴２７の長手方向に沿う方向（横方向）に自在に移動できる。
可動部材５０の長穴２７の長手方向に沿う移動によって、棒状部５１が、シート引き込み用空間２２を通り前記透光板２１（具体的にはゲル設置面２１ａ）に平行な仮想平面Ｓ（図４（ａ）参照）内を移動する。遮光シート４０の可動端４２もこの仮想平面Ｓに沿って移動される。
【００３７】
図４（ａ）において、一対の遮光シート４０Ａ、４０Ｂの基端部４１は、シート引き込み用空間２２を介して対向する位置に設けられている。図示例では遮光シート４０Ａ、４０Ｂの基端部４１は、筐体２０の端部壁に対して前記仮想平面Ｓ（可動部材５０の移動平面）に一致する位置に設けられているが、この基端部４１の位置は仮想平面Ｓの近傍にて仮想平面Ｓから若干ずれた位置であっても良い。
【００３８】
遮光シート４０は、可動部材５０の長穴２７の長手方向に沿う移動（横方向の移動）によって、該遮光シート４０の基端部４１が取り付けられた筐体２０の端部壁と可動部材５０との間の距離が変動するに伴い、伸縮（遮光シート４０を構成する帯状のシート状部材の長手方向寸法は一定。ここでは、山折り部４３ａ、谷折り部４３ｂといった屈曲部４３の変形によって基端部４１と可動端４２との間の距離が変動すること、伸長及び折り畳みが自在であることを意味する）するように変形される。
【００３９】
図４（ｂ）、（ｃ）に示すように、遮光ユニット６０は、可動部材５０の移動操作によって可動端４３をシート引き込み用空間２２内に配置することで、遮光シート４０をシート引き込み用空間２２に引き込むことができる。また、各遮光ユニット６０は、可動部材５０の移動操作によって、それぞれ単独で、光源３０と透光板２１との間を開閉できる。
【００４０】
図３等に示すように、既述のように、可動部材５０の棒状部５１の長手方向片端である操作側端部５１ａは、前記操作側壁部２４１の前記長穴２７に挿入されており、該長穴２７の長手方向に沿って移動自在になっている。長穴２７自体が棒状部５１の操作側端部５１ａの移動を案内する案内部として機能する。
また、前記筐体２０の前記奥壁部２４４の案内溝２８は、可動部材５０の棒状部５１の奥側端部５１ｂを、前記操作側壁部２４１の前記長穴２７の長手方向（延在方向）に沿う移動を案内するための案内部（以下、奥端案内部とも言う）として機能する。奥端案内部は、長穴２７の長手方向に沿って延在（横方向に延在）されている。
【００４１】
筐体２０は、シート引き込み用空間２２を介して両側の側壁部２４、つまり、ここでは操作側壁部２４１と奥壁部２４４とに、可動部材５０（詳細には棒状部５１）の長穴２７の長手方向に沿う移動を案内するための案内部２７、２８を具備する構成となっている。可動部材５０は、作業者が操作ハンドル部５２を操作することで、前記操作側壁部２４１の案内部（長穴２７）と前記奥壁部２４４の前記案内部（奥端案内部。図示例では案内溝２８）とに案内されながら、長穴２７及び奥端案内部（図示例では案内溝２８の長手方向の延在方向に沿って移動できる。
【００４２】
筐体２０の奥側壁部２４４に設けられる奥端案内部としては、可動部材５０の奥側端部５１ｂの長穴２７の長手方向に沿う移動を案内できる構成のものであれば良く、図３に例示した案内溝２８に限定されず、各種構成のものを採用できる。例えば、奥側壁部２４４の操作側壁部２４１の長穴２７に対応する位置に長穴を形成してこの長穴自体を奥端案内部として機能させる構成や、奥側壁部２４４に互いに平行に取り付けた２本の案内レールの間に棒状部５１を案内するための案内溝を確保した構成、案内溝付きの案内レールを奥側壁部２４４に取り付けた構成等も採用可能である。
【００４３】
また、可動部材として、棒状部５１の奥側端部５１ｂにフランジ部を突設したものや、前記奥側端部５１ｂに軸回り回転自在のリングを設けた構成のものを採用して、案内溝や案内レールといった奥端案内部の延在方向への棒状部５１の奥側端部５１ｂの移動抵抗を低減することも可能である。
【００４４】
可動部材５０の棒状部５１の操作側端部５１ａの外周には、該可動部材５０の筐体２０の外側への抜け出しを規制するために、筐体２０の操作側壁部２４１の内面（筐体２０の内側空間２６に臨む面）に接触される抜け止めリング５３がフランジ状に突設されている。可動部材５０が長穴２７の長手方向に沿って移動するとき、抜け止めリング５３は操作側壁部２４１の内面に摺動する。この抜け止めリング５３は、可動部材５０の棒状部５１の操作側壁部２４１に対する向きを前記操作側壁部２４１に対して垂直に保つ姿勢維持部材としても機能する。したがって、このトランスイルミネータ１０において、可動部材５０は、棒状部５１が前記操作側壁部２４１に対して垂直の向きを保ったまま、長穴２７の長手方向に沿って自在に移動させることができる。
なお、前記抜け止めリング５３は、ここでは、棒状部５１の操作側端部５１ａの外周全周にフランジ状に固設された部材であるが、例えば、棒状部５１の操作側端部５１ａの外周に軸回り回転自在に設けられたリング状部材であっても良い。
【００４５】
図４（ａ）に例示したように、遮光ユニット６０の遮光シート４０全体を、筐体２０内にてシート引き込み用空間２２と端部壁との間に確保された空間である遮光シート格納部２９内に収納した状態では、図５実線に示すように遮光シート４０の全ての屈曲部４３が折り曲げ状態となっている。また、このトランスイルミネータ１０では、遮光シート４０全体を遮光シート格納部２９内に収納したとき、この遮光シート４０が取り付けられている可動部材５０の棒状部５１を、シート引き込み用空間２２から前記遮光シート４０の基端部４１側にずれたところに位置させることができ（棒状部５１が遮光シート格納部２９内に入り込む）、遮光ユニット６０がシート引き込み用空間２２に入り込まないようにすることが可能である。
【００４６】
このトランスイルミネータ１０の遮光シート格納部２９について具体的に説明する。
図４（ａ）に示すように、このトランスイルミネータ１０の筐体２０のゲル設置板部２５は、枠板２５ａが、筐体２０の横方向両側に位置する一対の側壁部２４（一対の端部壁２４２、２４３）から互いに対向する相手側の側壁部２４２、２４３に向けて張り出すように突出された部分である張り出し部２５ｃを有している。前記遮光シート格納部２９は、筐体２０の横方向両側に位置する側壁部２４（端部壁２４２、２４３）とシート引き込み用空間２２との間に確保された空間であり、筐体２０の前記張り出し部２５ｃと底板２３との間に位置する。なお、遮光シート４０の基端部４１は遮光シート格納部２９内に位置する。
【００４７】
図１に示すように、長穴２７及び奥端案内部（図示例のトランスイルミネータ１０においては案内溝２８（図３参照））の長手方向寸法はシート引き込み用空間２２の横方向寸法よりも大きい。このトランスイルミネータ１０の横方向において、長穴２７は、シート引き込み用空間２２の横方向の延在範囲に対応する部分と、この部分から横方向両側に延長された部分とを有している。奥壁部２４４には、筐体２０の内側空間２６を介して長穴２７に対応する延在方向（横方向）寸法を確保した奥端案内部が設けられる。また、長穴２７及び奥端案内部によって案内される可動部材５０Ａ、５０Ｂの可動範囲（横方向における可動範囲）は、それぞれ、シート引き込み用空間２２の横方向の延在範囲全体に重なるとともに、さらにシート引き込み用空間２２から、当該可動部材が設けられている遮光ユニット６０の遮光シート４０を収納するための遮光シート格納部２９内に入り込むように延在する。
【００４８】
遮光シート４０全体を遮光シート格納部２９内に収納し、可動部材５０の棒状部５１を、シート引き込み用空間２２から前記遮光シート４０の基端部４１側にずれたところに位置させた状態を、以下、格納状態とも言う。この格納状態では、遮光ユニット６０に、シート引き込み用空間２２に入り込んだ部分が存在しないため、この遮光ユニット６０は光源３０から透光板２１、ゲルＧへ照射される励起光を遮光しない。
図４（ａ）に示すように、このトランスイルミネータ１０の一対の遮光ユニット６０Ａ、６０Ｂの両方を格納状態としたとき（全開状態）は、光源３０からシート引き込み用空間２２を介して透光板２１全体に励起光３２が照射される。
【００４９】
格納状態の遮光ユニット６０の可動部材５０を移動して遮光シート４０をシート引き込み用空間２２に入り込ませていく（引き込んでいく）と、遮光シート４０は、可動端４２に近い側から、屈曲部４３の曲げが緩やかになる（図５中、仮想線を参照）。つまり、屈曲部４３の開き角θが大きくなる。これにより、遮光シート４０の基端部４１から可動端４２までの距離が増大し、遮光シート４０は格納状態に比べて引き延ばされた状態となる。
【００５０】
逆に、遮光シート４０をシート引き込み用空間２２に引き込んだ状態から格納状態にすると、遮光シート４０の複数の屈曲部４３の１以上の曲げが急になり（屈曲部４３の開き角θが小さくなる）、遮光シート４０の基端部４１から可動端４２までの距離が縮小する。
【００５１】
トランスイルミネータ１０としては、操作ハンドル部５２の手動操作によって可動部材５０を所望位置に確実に静止させるために、例えば、図７に示すように、筐体２０の操作側壁部２４１の長穴２７の長手方向全長にわたってその内面に可動部材５０の棒状部５１の操作側端部５１ａと接触させる柔軟性の接触部材２７１を設けて、長穴２７の長手方向に沿って移動する可動部材５０の移動抵抗を増大させても良い。前記柔軟性の接触部材２７１としては、例えばゴム（天然ゴムあるいは合成ゴム）製のものが好適であるが、これに限定されず、合成ゴム以外の合成樹脂製のもの、綿等の天然繊維で形成されたものも採用可能である。
また、可動部材５０の移動抵抗を増大させるための構成（移動抵抗増大手段）としては、上述の接触部材２７１の設置に限定されず、例えば、長穴２７内面の粗面化、棒状部５１の操作側端部５１ａの外周面の粗面化、棒状部５１の操作側端部５１ａの外周面へのゴム被覆層の形成等も採用可能である。
【００５２】
このトランスイルミネータ１０を用いて電気泳動ゲルＧを観察し、このゲルＧからバンドが位置する部位を切り出すには、図１に示すように、作製したシート状の電気泳動ゲルＧを透光板２１のゲル設置面２１ａに重ね合わせるように設置し、光源３０から出力させた励起光をゲルＧに照射してゲルＧを透光板２１とは反対の側から観察する。そして、このゲルＧからバンドが位置する部位を切り出す。
【００５３】
但し、このトランスイルミネータ１０の場合、例えば図４（ｂ）、（ｃ）に示すように、遮光ユニット６０の可動部材５０の操作ハンドル部５２の操作によって、ゲルＧへの励起光３２の照射範囲をシート状のゲルＧの一部に絞り込んで該照射範囲についてゲルＧの観察及び切り出しを行うことができる。そして、ゲルＧにおける励起光３２の照射範囲の移動とバンドの観察及びゲルＧの切り出しとを複数回繰り返すことで、バンドの観察及びゲルＧの切り出しを順次進めて行くといったことが可能である。
【００５４】
図示例のトランスイルミネータ１０の場合、一対の遮光ユニット６０の可動部材５０（詳細には棒状部５１）間の距離によって、光源３０から透光板２１への前記励起光３２の照射範囲、ゲルＧにおける励起光３２の照射範囲が決まる。光源３０から出力された励起光３２は、筐体２０に長穴２７の長手方向に沿って移動自在に設けられた一対の可動部材５０（詳細には棒状部５１）を互いに離隔させたときに、一対の可動部材５０（詳細には棒状部５１）の間の空間（以下、光照射用空間とも言う。符号２２ａ）を通り、透光板２１を透過してゲルＧに照射される。
一方、可動部材５０の棒状部５１及び遮光シート４０は励起光３２を遮光するため、ゲルＧの内、透光板２１を介して可動部材５０の棒状部５１及び遮光シート４０に対向する部分（以下、非照射領域とも言う）には励起光３２は照射されない。したがって、この非照射領域では、ゲルＧ中の核酸が励起光３２によって損傷するといった不都合を防止できる。
【００５５】
図９（ｂ）は、このトランスイルミネータ１０によって励起光を照射する対象のシート状のゲルＧの一例を示す。図示例のゲルＧは矩形シート状に形成されている。
ここで、図８（ａ）、（ｂ）、図９（ａ）を参照してゲルＧの作製手法の一例を説明する。
図８（ａ）、（ｂ）はゲル作製用治具７０の一例を示す。
このゲル作製用治具７０は、一対のプレート７１の間にコ字形のスペーサ７２を挟み込み、前記スペーサ７２によって一対のプレート７１の間に隙間７３を確保した構造になっている。図中符号７５は、一対のプレート７１とスペーサ７２とをクランプして、一対のプレート７１の間にスペーサ７２を挟み込んだ状態を維持するためのクランプ部品である。なお、このクランプ部品７５は着脱可能であり、クランプ部品７５を取り外すことでゲル作製用治具７０を簡単に解体できる。
【００５６】
前記隙間７３の内、コ字形のスペーサ７２の内側に位置する領域に、液状ゲル材料（例えばポリアクリルイミド溶液）を流し込み、ゲル化のための重合開始剤（例えばテトラメチルエチレンジアミン）、重合促進剤（例えば過硫酸アンモニウム）を加えてゲル化させることで、シート状のゲルＧ１（以下、泳動用ゲルシートとも言う）が得られる。
この泳動用ゲルシートＧ１の端面に、櫛歯状のコーム７４等の凹所形成具を用いてサンプル設置用凹所Ｇ２（ウェル）を一列に複数形成して、これらサンプル設置用凹所Ｇ２にサンプル８０（図９（ａ）参照）を設置した後、泳動用ゲルシートＧ１に電圧を掛けて電気泳動を行う。これにより、図９（ｂ）に示す電気泳動ゲルＧが得られる。
また、染色剤をゲル中の核酸分子に結合させるため、例えば、染色剤の溶液を泳動用ゲルシートＧ１の作製時に泳動用ゲルシートＧ１に加える、染色剤の溶液を加えたサンプルの使用、サンプルの電気泳動後のゲルＧを染色剤溶液に浸す、といった手法を選択的に採用する。
【００５７】
本発明に係る電気泳動ゲルＧは、サンプル８０中の核酸の分離のための電気泳動を行った電気泳動済みのゲルであり、紫外線あるいは可視光を励起光として蛍光を発する染色剤を結合させた核酸を含むものを指す。
染色剤として紫外線を励起光として蛍光を発するもの（例えばエチジウムブロマイド）を採用した場合は、トランスイルミネータ１０として、前記染色剤を励起させて蛍光を発生させる紫外線を励起光として出力する光源３０を具備するもの用いる。
【００５８】
電気泳動によって得られたゲルＧに、染色剤の励起波長に対応する波長の励起光を照射すれば、核酸に結合した染色剤が励起されて蛍光を発し、電気泳動によってサンプル８０から分離された核酸分子のバンド８１（図９（ｂ）参照）が視認可能となる。
図９（ｂ）に示すように、電気泳動済みのゲルＧには、電気泳動によってサンプル設置用凹所Ｇ２内のサンプル８０から移動した物質が分布する領域（図９（ｂ）中仮想線で示すレーン８２）が、サンプル設置用凹所Ｇ２から延出する帯状に存在する。ゲルＧには、サンプル設置用凹所Ｇ２毎のレーン８２が並列に存在する。バンド８１は前記レーン８２内に存在する。
【００５９】
トランスイルミネータ１０を用いて電気泳動ゲルＧの観察及び切り出しを行う場合、ゲル作製用治具７０から取り出したゲルＧを、複数のレーン８１の長手方向（延在方向）が可動部材５０の棒状部５１の長手方向に揃う向きで、透光板２１のゲル設置面２１ａに重ね合わせるように設置する。
これにより、例えば図４（ｂ）、（ｃ）に示すように、遮光ユニット６０の可動部材５０の操作ハンドル部５２の操作によって、ゲルＧへの励起光３２の照射範囲をシート状のゲルＧの一部に絞り込む場合、複数のレーン８２（図９（ｂ）参照）から選択した１本に対応する範囲にのみ励起光３２を照射するといったことが可能である。また、遮光ユニット６０の可動部材５０の操作ハンドル部５２の操作によって、励起光３２を照射するレーン８２を変更することができる。ゲルＧへの励起光３２の照射、ゲルＧの観察及び切り出しをレーン８２単位で行うことができる。
【００６０】
ゲルＧへの励起光３２の照射範囲の絞り込みは、このトランスイルミネータ１０の一対の遮光ユニット６０Ａ、６０Ｂの一方または両方を遮光シート格納部２９から引き出してシート引き込み用空間２２に引き込むことで実現される。
上述のように、ゲルＧを、複数のレーン８１の長手方向（延在方向）が可動部材５０の棒状部５１の長手方向に揃う向きで、透光板２１のゲル設置面２１ａに重ね合わせるように設置すれば、遮光ユニット６０Ａの可動部材５０及び遮光ユニット６０Ｂの可動部材５０の位置調整によって、一対の遮光ユニット６０の間に確保する光照射用空間２２ａのサイズ及び位置を決めることで、励起光３２を照射するレーン８２を選択できる。
【００６１】
図４（ｂ）は符号６０Ａの遮光ユニットを格納状態とし、反対側の遮光ユニット６０Ｂの遮光シート４０をシート引き込み用空間２２に引き込み、一対の遮光ユニット６０Ａ、６０Ｂの間に光照射用空間２２ａを確保した状態、図４（ｃ）は符号６０Ｂの遮光ユニットを格納状態とし、反対側の遮光ユニット６０Ａの遮光シート４０をシート引き込み用空間２２に引き込み、一対の遮光ユニット６０Ａ、６０Ｂの間に光照射用空間２２ａを確保した状態を示す。
また、図１、図２は、２つの遮光ユニット６０Ａ、６０Ｂの遮光シート４０をそれぞれシート引き込み用空間２２に引き込み、一対の遮光ユニット６０Ａ、６０Ｂの間に光照射用空間２２ａを確保した状態を示す。
【００６２】
図示を略すが、一対の遮光ユニット６０Ａ、６０Ｂは、可動部材５０同士を互いに当接させて閉じ合わせることができる。このとき光照射用空間２２ａは確保されないため、ゲルＧに励起光は照射されない。一対の遮光ユニット６０Ａ、６０Ｂは、光源３０と透光板２１との間を開閉できる。
【００６３】
上述のように、ゲルＧへの励起光の照射、ゲルＧの観察及び切り出しをレーン８２単位で行う場合、ゲルＧの内の励起光が照射されない非照射領域では、励起光の照射によってゲルＧ中の核酸が損傷するといった不都合を防止できる。
その結果、ゲルのバンドが位置する部位の切り出しの作業時間を充分に確保できるようになるため、作業を焦って切り出しを失敗するといったケースを減少させることができ、切り出しの作業確実性を向上できる。
【００６４】
なお、ゲルＧへの励起光の照射、ゲルＧの観察及び切り出しは、レーン８２単位（レーン１本毎）で行うことに限定されず、例えば、互いに隣り合う２本以上のレーン８２について一括して行うといったことも可能であり、特には限定は無い。
【００６５】
（第２実施形態）
次に、本発明の第２実施形態のトランスイルミネータ１０Ａを図１０、図１１（ａ）、（ｂ）を参照して説明する。なお、第１実施形態と共通の構成部分には共通の符号を付して説明する。
図１０に示すように、このトランスイルミネータ１０Ａは、第１実施形態のトランスイルミネータ１０と同様に、外観箱形の筐体２０Ａを有している。図１０、図１１（ａ）、（ｂ）に示すように、前記筐体２０Ａは、第１実施形態のトランスイルミネータ１０の前記筐体２０と同様に、底板２３、ゲル設置板２５、４つの側壁部２４’を有している。また、４つの側壁部２４’について、第１実施形態のトランスイルミネータ１０の前記筐体２０の４つの側壁部２４に対応させて、操作側壁部２４１’、端部壁２４２’、２４３’、奥壁部２４４’と称して説明する場合がある。この筐体２０Ａは、４つの側壁部２４’の底板２３及びゲル設置板２５に垂直の方向の寸法を、第１実施形態のトランスイルミネータ１０の前記筐体２０の４つの側壁部２４に比べて大きくしてあり、第１実施形態のトランスイルミネータ１０の筐体２０に比べて底板２３とゲル設置板２５との間の距離を大きい点、操作側壁部２４１’のみならず、一対の端部壁２４２’、２４３’の片方（ここでは、符号２４２’の端部壁。以下、この端部壁２４２’を第１端部壁、反対側の端部壁２４３’を第２端部壁とも言う）にも長穴（第２長穴２７Ａ）を形成した点が、第１実施形態のトランスイルミネータ１０の筐体２０と異なる。
また、この実施形態のトランスイルミネータ１０Ａは、前記筐体２０Ａを採用した点と、２つの遮光ユニット９０を追加した点が、第１実施形態のトランスイルミネータ１０と異なる。
【００６６】
以下、遮光ユニット９０を補助遮光ユニットとも言う。また、説明の便宜上、２つの補助遮光ユニット９０の一方に符号９０Ａ、他方に符号９０Ｂを付して説明する場合がある。
なお、操作側壁部２４１’の長穴２７の長手方向（延在方向）に沿って移動自在の可動部材５０を具備する遮光ユニット６０について、以下、メイン遮光ユニットとも言う。
【００６７】
このトランスイルミネータ１０Ａについて、長穴２７の長手方向に沿う方向を横方向、該横方向に垂直かつ透光板２１（詳細にはゲル設置面２１ａ）に沿う方向を縦方向と称して説明する場合があることは、第１実施形態と同様である。
前記第２長穴２７Ａは、筐体２０Ａの第１端部壁２４２’に縦方向に延在形成されている。
【００６８】
図１０、図１１（ｂ）に示すように、このトランスイルミネータ１０Ａにおいて、２つの補助遮光ユニット９０は、それぞれ、前記光源３０から出力される励起光を遮光できる帯状の可撓性のシート状部材に山折り部と谷折り部とを形成してなる遮光シート９１（補助遮光シート）と、この遮光シート９１を構成する前記シート状部材の長手方向片端の筐体２０Ａに取り付けられた基端部９１ａとは反対側の端部に取り付けられた可動部材９２（補助可動部材）とを具備して構成されている。
【００６９】
補助遮光ユニット９０の遮光シート９１としては、メイン遮光ユニット６０の遮光シート４０と同様の構造のものを用いることができる。山折り部及び谷折り部は、シート状部材の長手方向に垂直の向きで互いに平行な線状に形成されており、シート状部材の長手方向に交互に配列されるようにそれぞれ複数形成されている。山折り部は図１０、図１１（ｂ）において上側に凸の屈曲部、谷折り部は図１０、図１１（ｂ）において下側に凸の屈曲部を指す。この遮光シート９１は、山折り部及び谷折り部がそれぞれ横方向に延在する向きで筐体２０Ａ内に収納されている。
【００７０】
符号９０Ａの補助遮光ユニットの遮光シート９１（図１０、図１１（ｂ）中、符号９１Ａを付記する）は、該遮光シート９１Ａを構成するシート状部材の長手方向一端（基端部９１ａ）を筐体２０Ａの操作側壁部２４１’に取り付け、前記シート状部材の前記基端部９１ａとは反対の側の端部（可動端９１ｂ）に前記可動部材９２（図中、符号９２Ａの可動部材）を取り付けた構成となっている。
符号９０Ｂの補助遮光ユニットの遮光シート９１（図１０、図１１（ｂ）中、符号９１Ｂを付記する）は、該遮光シート９１Ｂを構成するシート状部材の長手方向一端を筐体２０の操作側壁部２４１’に取り付け、前記シート状部材の前記基端部９１ａとは反対の側の端部（可動端９１ｂ）に前記可動部材９２（図中、符号９２Ｂの可動部材）を取り付けた構成となっている。
【００７１】
図１１（ｂ）に示すように、一対の補助遮光ユニット９０Ａ、９０Ｂの一方の遮光シート９１Ａの筐体２０Ａに固定した基端部９１ａと、他方の遮光シート９１Ｂの筐体２０に固定した基端部９１ａとは、第２長穴２７Ａの長手方向に沿う方向において前記シート引き込み用空間２２を介して対向する位置にある。２つの補助遮光ユニット９０の遮光シート９１の基端部９１ａは、いずれも、第２長穴２７Ａの長手方向に沿う方向において筐体２０内のシート引き込み用空間２２を避けた位置に設けられている。
【００７２】
図１０、図１１（ａ）に示すように、補助遮光ユニット９０Ａ、９０Ｂの可動部材９２は、前記操作側壁部２４１’に平行（筐体２０Ａの一対の端部壁２４２’、２４３’に垂直）の向きで前記シート引き込み用空間２２を介して両側の側壁部２４’（端部壁２４２’、２４３’）に架け渡すようにして設けられた棒状部９２ａと、この棒状部９２ａの前記第２長穴２７Ａに挿入された端部（以下、操作側端部とも言う。符号９２ｂ）から筐体２０Ａの外側に突出された操作ハンドル部９２ｃとを具備している。
【００７３】
遮光シート９１の可動部材９２に対する取り付け構造は、メイン遮光ユニット６０における遮光シート４０の可動部材５０に対する取り付け構造（図５参照）と同様のものを採用できる。
【００７４】
前記可動部材９２の棒状部９２ａは、操作側端部９２ｂが第２長穴２７Ａに案内されながら該第２長穴２７Ａの長手方向に沿って縦方向に自在に移動できる。第２長穴２７Ａは、可動部材９２の棒状部９２ａの操作側端部９２ｂを案内するための案内部（第２操作側案内部）として機能する。
前記可動部材９２の棒状部９２ａの操作側端部９２ｂとは反対側の端部（以下、奥側端部９２ｄとも言う）は、筐体２０Ａの第２端部壁２４３’に第１端部壁２４２’の第２長穴２７Ａと平行に延在形成された案内部（以下、第２奥端案内部とも言う。図１１（ａ）では案内溝２８Ａ）によって案内されながら第２奥端案内部の延在方向（第２長穴２７Ａの長手方向）に自在に移動するようになっている。
【００７５】
つまり、このトランスイルミネータ１０Ａは、第２長穴２７Ａの長手方向（延在方向）に沿った方向（縦方向）において筐体２０Ａのシート引き込み用空間２２を介して両側の側壁部２４’、つまり、ここでは第１端部壁２４２’と第２端部壁２４３’とに可動部材９２（詳細には棒状部９２ａ）の第２長穴２７Ａの長手方向に沿う移動を案内するための案内部を具備する構成となっている。可動部材９２は、作業者が操作ハンドル部９２ｃを操作することで、前記第１端部壁２４２’の案内部（第２長穴２７Ａ）と前記第２端部壁２４３’の案内部（第２奥端案内部）とに案内されながら、第２操作側案内部（具体的には第２長穴２７Ａ）及び第２奥端案内部の延在方向に沿って移動（縦方向に移動）できる。
【００７６】
図１１（ａ）では、第２奥端案内部として、第２端部壁２４３’に第１端部壁２４２’の第２長穴２７Ａと平行に延在形成された案内溝２８Ａを例示している。棒状部９２ａの奥側端部９２ｄは案内溝２８Ａに挿入されており、案内溝２８Ａに案内されながら該案内溝２８Ｂの長手方向（延在方向）に沿って自在に移動できる。
【００７７】
但し、第２奥端案内部としては案内溝２８Ａに限定されず、可動部材９２の奥側端部９２ｄの第２長穴２７Ａの長手方向に沿う移動を案内できる構成のものであれば良く、図１１（ａ）に例示した案内溝２８Ａに限定されない。第２奥端案内部としては、メイン遮光ユニット６０の可動部材５０の奥側端部の案内用の奥端案内部と同様に案内レールを用いた構成や、第２端部壁２４３’においてシート引き込み用空間２２を介して前記第２長穴２７に対応する位置に形成した長穴等も採用可能である。また、可動部材９２として、棒状部９２ａの奥側端部９２ｄにフランジ部を突設した構成のものや前記奥側端部９２ｄにその軸回りに回転自在のリングを設けた構成のものを採用し、案内溝や案内レールといった第２奥端案内部の延在方向への棒状部９２ａの奥側端部９２ｄの移動抵抗を低減することも可能である。
【００７８】
可動部材９２の棒状部９２ａの操作側端部９２ｂの外周には、該可動部材９２の筐体２０の外側への抜け出しを規制するために、筐体２０Ａの第１端部壁２４２’の内面（筐体２０Ａの内側空間２６’に臨む面）に接触される抜け止めリング９２ｅが突設されている。可動部材９２が第２長穴２７Ａの長手方向に沿って移動するとき、抜け止めリング９２ｅは第１端部壁２４２’の内面に摺動する。抜け止めリング９２ｅは、可動部材９２の棒状部９２ａの第１端部壁２４２’に対する向きを前記第１端部壁２４２’に対して垂直に保つ姿勢維持部材としても機能する。
したがって、このトランスイルミネータ１０Ａにおいて、可動部材９２は、棒状部９２ａが前記第１端部壁２４２’に対して垂直の向きを保ったまま、第２長穴２７Ａの長手方向に沿って自在に移動させることができる。
なお、図示例の可動部材９２の抜け止めリング９２ｅは、棒状部９２ａの外周全周に固設された部材であるが、例えば、棒状部９２ａの操作側端部９２ｂの外周に軸回り回転自在に設けられたリング状部材であっても良い。
【００７９】
前記可動部材９２は、トランスイルミネータ１０Ａを使用して電気泳動ゲルＧの観察等の作業を行う作業者が手指で前記操作ハンドル部９２ｃを操作することで、手動で第２長穴２７Ａの長手方向に沿う方向に自在に移動できる。
可動部材９２の第２長穴２７Ａの長手方向に沿う移動は、シート引き込み用空間２２を通り前記透光板２１（具体的にはゲル設置面２１ａ）に平行な仮想平面Ｓ１内での移動である。可動部材９２の移動に伴い遮光シート９１の可動端９１ｂが仮想平面Ｓ１に沿って移動される。
【００８０】
図示例のトランスイルミネータ１０Ａにおいては、一対の補助遮光ユニット９０を、一対のメイン遮光ユニット６０から筐体２０Ａの底板２３側にずれた位置に設けた構成を例示している。
但し、本実施形態に係るトランスイルミネータにおいては、一対の補助遮光ユニット９０を、一対のメイン遮光ユニット６０から筐体２０Ａのゲル設置板２５側にずれた位置に設けた構成も採用可能である。
【００８１】
符号９０Ａの補助遮光ユニットの可動部材９２Ａ、符号９０Ｂの補助遮光ユニットの可動部材９２Ｂは、筐体２０Ａに設けられた一対の案内部（第２操作側案内部と第２奥端案内部）に案内されることで、それぞれ独立に、第２長穴２７Ａの長手方向に沿って自在に移動できる。
補助遮光ユニット９０Ａ、９０Ｂの遮光シート９１は、該遮光シート９１の可動端９１ｂが取り付けられている可動部材９２が縦方向に移動され、該遮光シート９１の基端部９１ａと可動部材９２との間の距離が変動するに伴い、伸縮（遮光シート９１を構成する帯状のシート状部材の長手方向寸法は一定。ここでは、山折り部、谷折り部といった屈曲部の変形によって基端部９１ａと可動端９１ｂとの間の距離が変動すること、伸長及び折り畳みが自在であることを意味する）するように変形される。
補助遮光ユニット９０Ａ、９０Ｂは、可動部材９２の移動操作によって、それぞれ単独で、光源３０と透光板２１との間を開閉できる。
【００８２】
このトランスイルミネータ１０Ａとしては、操作ハンドル部９２ｃの手動操作によって可動部材９０を所望位置に確実に静止させるために、例えば、第１実施形態のトランスイルミネータ１０の長穴２７と同様に、第２長穴２７Ａの長手方向全長にわたってその内面に可動部材９２の棒状部９２ａの操作側端部９２ｂと接触させる柔軟性の接触部材を設けて、第２長穴２７Ａの長手方向に沿って縦方向に移動する可動部材９０の移動抵抗を増大させても良い。接触部材の材質は第１実施形態のトランスイルミネータ１０にて説明したものと同様のものを採用できる。また、可動部材９０の移動抵抗を増大させるための構成（移動抵抗増大手段）としては、上述の接触部材の設置に限定されず、例えば、第２長穴２７Ａ内面の粗面化、棒状部９２ａの操作側端部９２ｂの外周面の粗面化、棒状部９２ａの操作側端部９２ｂの外周面へのゴム被覆層の形成等も採用可能である。
【００８３】
このトランスイルミネータ１０Ａに設けられている２つの補助遮光ユニット９０は、それぞれ単独で、透光板２１の裏面側全体を覆って、光源３０から出力された励起光が透光板２１に照射されないように遮光することができる。
また、このトランスイルミネータ１０Ａの筐体２０Ａ内には、シート引き込み用空間２２を介して縦方向両側に、補助遮光ユニット９０の遮光シート９１を収納するための空間である補助遮光シート格納部２９Ａが確保されている。
【００８４】
図１１（ｂ）に示すように、このトランスイルミネータ１０Ａの筐体２０のゲル設置板部２５は、枠板２５ａが、筐体２０の縦方向両側に位置する一対の側壁部２４’（操作側壁部２４１’と奥壁部２４４’）から互いに対向する相手側の側壁部２４１’、２４４’に向けて張り出すように突出された部分である張り出し部２５ｄを有している。前記補助遮光シート格納部２９Ａは、筐体２０Ａの縦方向両側に位置する側壁部２４’とシート引き込み用空間２２との間に確保された空間であり、筐体２０Ａの前記張り出し部２５ｄと底板２３との間に位置する。遮光シート９１の基端部９１ａは補助遮光シート格納部２９Ａ内に位置する。
【００８５】
図１０に示すように、第２長穴２７Ａ及び第２奥端案内部の長手方向寸法はシート引き込み用空間２２の縦方向寸法よりも大きい。このトランスイルミネータ１０Ａの縦方向において、第２長穴２７Ａ及び第２奥端案内部は、シート引き込み用空間２２の縦方向の延在範囲に対応する部分と、この部分から縦方向両側に延長された部分とを有している。第２長穴２７Ａ及び第２奥端案内部によって案内される可動部材９２Ａ、９２Ｂの可動範囲（縦方向における可動範囲）は、それぞれ、シート引き込み用空間２２の縦方向の延在範囲全体に重なるとともに、さらにシート引き込み用空間２２から、当該可動部材が設けられている補助遮光ユニット９０の遮光シート９１を収納するための補助遮光シート格納部２９Ａ内に延びている。このため、補助遮光ユニット９０Ａ、９０Ｂは、可動部材９２を該可動部材９２に可動端９１ｂを取り付けた遮光シート９１の基端部９１ａに接近させることで、遮光シート９１全体を補助遮光シート格納部２９Ａ内に収納できるとともに、シート引き込み用空間２２から前記遮光シート９１の基端部９１ａ側にずれたところに位置させ、シート引き込み用空間２２内に入り込んだ部分が無い状態（図１１（ｂ）に示す状態。全開状態。格納状態）にできる。
【００８６】
このトランスイルミネータ１０Ａでは、２つのメイン遮光ユニット６０Ａ、６０Ｂの他に、２つの補助遮光ユニット９０Ａ、９０Ｂを具備しているため、透光板２１のゲル設置面２１ａに設置したゲルＧにおける光源３０からの励起光の照射範囲を、２つのメイン遮光ユニット６０Ａ、６０Ｂの間の光照射用空間２２ａによって横方向の所望範囲に絞り込む（以下、横絞りとも言う）ことができる上、さらに、２つの補助遮光ユニット９０Ａ、９０Ｂの間の光照射用空間２２ｂによって縦方向の所望範囲に絞り込む（以下、縦絞りとも言う）ことも行える。したがって、ゲルＧにおける励起光の照射範囲を第１実施形態のトランスイルミネータ１０に比べて狭い範囲に絞り込むことが可能である。
その結果、励起光の照射によって損傷を受ける核酸を減少させることができる。
【００８７】
例えば、ゲルＧの観察、切り出しといった作業を行う際に、２つのメイン遮光ユニット６０Ａ、６０Ｂの可動部材５０の位置調整（横方向の位置調整）によって、ゲルＧに励起光を照射する照射範囲を作業対象のレーン８２に絞り込み（横絞り）、さらに、２つの補助遮光ユニット９０Ａ、９０Ｂの可動部材９２の位置調整（縦方向の位置調整）によって、ゲルＧに励起光を照射する照射範囲を切り出しを行う目的のバンド及びその近傍に絞り込む（縦絞り）といったことが可能である。
また、照射範囲の縦絞りによって、ゲルＧの複数のレーン８２（図９（ｂ）参照）について、サンプル設置用凹所Ｇ２からの距離が同じ箇所同士の対比観察を楽に行えるといった利点もある。
【００８８】
（第３実施形態）
次に本発明の第３実施形態のトランスイルミネータを図１２を参照して説明する。
図１２に示すように、このトランスイルミネータ１０Ｂは、第１実施形態のトランスイルミネータ１０の一対の遮光ユニット６０Ａ、６０Ｂの片方を省略（図１中、符号６０Ａの遮光ユニットを省略）したものである。
図中、図１と同一の構成部分には共通の符号を付す。
【００８９】
このトランスイルミネータ１０Ｂの場合、例えば、透光板２１に重ね合わせるようにしてゲルＧを設置し（ゲルＧのレーン８２の延在方向をトランスイルミネータの縦方向に合わせる）、図１２においてゲルＧの左端のレーン８２のみに光源３０から出力された励起光が照射されるようにしてゲルＧの観察及び切り出しを行った後、光ユニット６０Ｂの可動部材５０を該遮光ユニット６０Ｂの遮光シート４０を収納するための遮光シート格納部２９側（図１２中、右側）に移動して、ゲルＧにおける励起光の照射領域を図１２においてゲルＧの左端のレーン８２の右隣のレーン８２にも拡張し、ゲルＧの観察及び切り出しを行い、以下、可動部材５０の移動と、ゲルＧの観察及び切り出しとをレーン８２単位で順次進めていく、といったことが可能である。
【００９０】
但し、ゲルＧの切り出し作業済みレーンについて、再観察、分析のための再切り出しを行うこと等を考慮する場合は、切り出し作業済みレーンの核酸が励起光の照射によって損傷等の影響を受けないように、切り出し作業済みレーンへの励起光の照射を遮光しておくことが好ましい。この点では、第３実施形態のトランスイルミネータよりも第１又は第２実施形態のトランスイルミネータを採用することが好適である。
【００９１】
（第４実施形態）
次に本発明に係る第４実施形態を図１３（ａ）、（ｂ）を参照して説明する。
上述の第１〜３実施形態では、遮光シートとして、例えば図５、図６に示すように、帯状のシート状部材の長手方向複数箇所に屈曲部（山折り部、谷折り部）を形成したものを例示したが、本発明に係る遮光シートとしてはこれに限定されず、屈曲部が形成されていないものも採用可能である。例えば、屈曲部が形成されていない帯状の柔軟なシート状部材を遮光シートとして用いても良い。
【００９２】
帯状の柔軟なシート状部材を遮光シートとして用いる場合、例えば図１３（ａ）、（ｂ）に示すように、筐体２０内に遮光シート１１０を支持するためのシート支持部材を設けて、遮光シート（シート状部材）の長手方向複数箇所を支持することが好ましい。シート支持部材は、遮光シートに取り付けてある可動部材の移動方向（長穴の長手方向）と同じ方向に移動可能に設ける。
【００９３】
ここでは、まず、第１実施形態のトランスイルミネータ１０の２つの遮光ユニット６０にかえて、シート支持部材として符号１１１のシート支持棒を具備する構成の２つの遮光ユニット１１２を設けた構成のトランスイルミネータについて説明する。図１３（ｂ）中符号１０Ｃはトランスイルミネータである。
前記遮光ユニット１１２は、遮光シート１１０の筐体２０の側壁部２４（図１３（ａ）では端部壁２４２）に取り付けられた基端部１１０ａとは反対側の可動端１１０ｂに可動部材５０を取り付け、遮光シート１１０の長手方向の互いに離隔した複数箇所にシート支持棒１１１を取り付けたものであり、帯状の柔軟なシート状部材を遮光シート１１０として採用した点、この遮光シート１１０の複数箇所にシート支持棒１１１を取り付けた点で第１実施形態にて説明した遮光ユニット６０と相違する。
このトランスイルミネータ１０Ｃは、第１実施形態のトランスイルミネータ１０の第１遮光ユニット６０Ａにかえて遮光シート１１０の基端部１１０ａを符号２４２の端部壁（図４（ａ）〜（ｃ）参照）に取り付けて設けた遮光ユニット１１２、及び、第１実施形態のトランスイルミネータ１０の第２遮光ユニット６０Ｂにかえて遮光シート１１０の基端部１１０ａを符号２４３の端部壁（図４（ａ）〜（ｃ）参照）に取り付けて設けた遮光ユニット１１２、を設けた構成である。
【００９４】
前記シート支持棒１１１は、その両端が、可動部材５０の棒状部５１の案内用の一対の案内部（図示例では長穴２７と案内溝２８）によって案内されることで、前記可動部材５０と同様に横方向（図１３（ａ）の左右方向）に移動自在になっている。図示例では、シート支持棒１１１の長手方向一端は長穴２７に挿入されて該長穴２７の長手方向に移動自在になっており、長手方向他端は案内溝２８に挿入されて該案内溝２８の長手方向に移動自在になっている。
【００９５】
なお、図中符号１１３は、シート支持棒１１１の外周にフランジ状に突設された抜け止めリングであり、筐体２０の長穴２７が形成されている側壁部２４（図示例では操作側壁部２４１）の内面（筐体２０の内側空間２６に臨む面）側に接触される。この接触部材１１３は、シート支持棒１１１が案内部によって案内されながら移動したときに、長穴２７が形成されている側壁部２４に摺動される。
【００９６】
図示例の遮光ユニット１１２も、可動部材５０を長穴２７の長手方向に沿って移動させることで、遮光シート１１０の伸長及び折り畳みを自在に行える。可動部材５０を遮光シート１１０の基端部１１０ａ側に接近させることで、遮光シート１１０全体を遮光シート格納部２９内に収納でき、可動部材５０をシート引き込み用空間２２に入り込まない位置に配置することができる。このとき、シート支持棒１１１間の距離の短縮に伴いシート支持棒１１１間において遮光シート１１０が小さい湾曲半径で撓むようになり、遮光シート１１０は折り畳むようにして（折り畳み状態で）遮光シート格納部２９内に収納される。逆に、遮光シート格納部２９内に収納された状態の遮光シート１１０は、可動部材５０の移動操作によって、折り畳み状態から引き延ばすようにしてシート引き込み用空間２２に引き込むことができる。
この遮光ユニット１１２は、第２実施形態にて説明した補助遮光ユニットにも適用可能である。第３実施形態にて説明したトランスイルミネータの遮光ユニットとしても適用可能であることは言うまでも無い。
【００９７】
なお、本発明は、上述した実施形態に限定されず、適宜変更が可能である。
上述の実施形態では、可動部材の棒状部の両端を案内するために、筐体に可動部材の棒状部の両端に対応して対をなす案内部（長穴と奥端案内部、あるいは、長穴と第２奥端案内部）を設けた構成を例示したが、本発明はこれに限定されず、可動部材の移動を案内するための案内部を、可動部材の棒状部の両端の片方のみに対応して設けた構成も採用可能である。
上述の実施形態では、可動部材に設けた抜け止めリングを姿勢維持部材として機能させる構成を例示したが、本発明では、可動部材が、該可動部材の操作用ハンドル部の突出用の長穴が形成されている筐体の側壁部に対して垂直の向きを保ったまま、案内部によって長穴の長手方向に沿って移動自在になっている構成であれば良く、可動部材の姿勢を維持するための手段（姿勢維持手段）及び案内部の構成には特には限定は無い。例えば、案内部自体が可動部材の姿勢維持手段として機能する構成も採用可能であり、この場合には抜け止めリングを省略した構成も採用可能である。
【００９８】
また、上述の実施形態では、棒状部の操作側端部を筐体外側に延長した所に操作ハンドル部を有する構成の可動部材を例示したが、本発明に係る可動部材としてはこれに限定されず、例えば、図１４に示すように、筐体２０内に設けられる棒状部１０１と、この棒状部１０１の操作側端部１０１ａの外周面からＬ字状に突設された操作ハンドル部１０２とを具備する構成の可動部材１００を採用することも可能である。
この場合、筐体の側壁部２４に、棒状部１０１の操作側端部１０１ａを案内するための案内部（図１４では長穴２４５）の他に、操作ハンドル部１０２を筐体２０の外側に突出させるための長穴２４６を前記長穴２４５と平行に形成した構成を採用して、操作ハンドル部１０２の操作によって可動部材１００を、操作ハンドル部１０２が挿通される長穴２４６の長手方向に沿って移動できるようにする。操作ハンドル部１０２用の長穴２４６も、可動部材１００の移動を案内するための案内部として機能させることも可能である。
可動部材の棒状部の操作側端部を案内するための案内部としては、長穴２４５に限定されず、案内レールあるいは案内溝を採用することも可能である。
【００９９】
本発明に係る可動部材としては、遮光シートの可動端が取り付けられる部分（シート取付部）を筐体の外側での操作ハンドル部の操作によって長穴に沿って移動されることで、遮光シートの可動端を筐体の側壁部の長穴に沿って移動できる構成であれば良く、必ずしも棒状部（シート取付部）を具備する構成に限定されない。
例えば、長穴が形成されている側壁部（筐体の側壁部）とシート引き込み用空間２２との間にて筐体内に前記長穴に沿って移動自在に設けられたブロック状のシート取付部（シート取り付けブロック）と、このシート取付部に突設され前記長穴から筐体の外側に突出された操作ハンドル部とを具備し、操作ハンドル部が前記長穴の長手方向に移動されることで、シート取付部と該シート取付部に取り付けられている遮光シートの可動端とが操作ハンドル部と一体に移動されるようになっている構成のもの等も採用できる。
【０１００】
本発明に係るトランスイルミネータは、横置きで使用するものに限定されず、縦置き（ゲル設置面が上下となる向き）で使用するものにも適用可能である。
第１〜４実施形態に例示したトランスイルミネータは、横置きのみならず、縦置きでも使用可能である。
【図面の簡単な説明】
【０１０１】
【図１】本発明に係る第１実施形態のトランスイルミネータを示す正面図である。
【図２】図１のトランスイルミネータを示す斜視図である。
【図３】図１のＡ−Ａ線断面矢視図である。
【図４】（ａ）〜（ｃ）は図１のトランスイルミネータに設けられている遮光シートの可動端の位置の変更による、透光板及び透光板のゲル設置面に設置した電気泳動ゲルにおける励起光の照射範囲の変更を説明する図である。
【図５】図１のトランスイルミネータに設けられている遮光ユニットの可動部材付近の構造を拡大して示す図である。
【図６】図１のトランスイルミネータに設けられている遮光ユニットの構造を示す平面図である。
【図７】図１のトランスイルミネータの筐体の側壁部に形成された長穴内面に接触部材を設けた構成の一例を示す図である。
【図８】ゲル作製用治具の一例を示す図であって、（ａ）は正面図、（ｂ）は（ａ）のＢ−Ｂ線断面矢視図である。
【図９】（ａ）は図８のゲル作製用治具の用いた核酸の電気泳動を説明する図、（ｂ）は電気泳動後のゲルを示す図である。
【図１０】本発明に係る第２実施形態のトランスイルミネータを示す斜視図である。
【図１１】図１０のトランスイルミネータの内部構造を模式的に示す断面図であり、（ａ）は正断面図、（ｂ）は側断面図である。
【図１２】本発明に係る第３実施形態のトランスイルミネータを示す正面図である。
【図１３】本発明に係る第４実施形態を説明する図であって、（ａ）は遮光ユニットを示す図、（ｂ）はトランスイルミネータの構造を示す断面図である。
【図１４】本発明に係るトランスイルミネータに用いられる可動部材の他の例を示す図である。
【符号の説明】
【０１０２】
１０…泳動ゲル用トランスイルミネータ、２０…筐体、２１…透光板、２１ａ…ゲル設置面、２１ｂ…裏面、２２…透光板と前記光源との間に確保された空間（シート引き込み用空間）、２２ａ…光照射用空間、２３…底板、２４…側板部、２４１…側板部（操作側壁部）、２４２…側壁部（端部壁、第１端部壁）、２４３…側壁部（端部壁、第２端部壁）、２４４…側壁部（奥壁部）、２５…ゲル設置板、２５ａ…枠板、２５ｂ…開口部、２５ｃ、２５ｄ…張り出し部、２６…内側空間、２７…長穴、案内部、２８…案内部（案内溝）、２９…遮光シート格納部、３０…光源、３１…スイッチ、３２…励起光、４０…遮光シート、４０Ａ…遮光シート、第１遮光シート、４０Ｂ…遮光シート、第２遮光シート、４１…基端部、４２…可動端、４３…屈曲部、４３ａ…山折り部、４３ｂ…谷折り部、５０…可動部材、５０Ａ…可動部材、第１可動部材、５０Ｂ…可動部材、第２可動部材、５１…棒状部、５１ａ…操作側端部、５１ｂ…奥側端部、５２…操作ハンドル部、５３…抜け止めリング、６０…遮光ユニット、６０Ａ…遮光ユニット、第１遮光ユニット、６０Ｂ…遮光ユニット、第２遮光ユニット、
１０Ａ…泳動ゲル用トランスイルミネータ、２０Ａ…筐体、２４’…側板部、２４１’…側板部（操作側壁部）、２４２’…側壁部（端部壁、第１端部壁）、２４３’…側壁部（端部壁、第２端部壁）、２４４’…側壁部（奥壁部）、２６’…内側空間、２７Ａ…案内部、第２長穴、２８Ａ…案内部（案内溝）、２９Ａ…補助遮光シート格納部、９０、９０Ａ、９０Ｂ…遮光ユニット、９１、９１Ａ、９１Ｂ…遮光シート、９１ａ…基端部、９１ｂ…可動端、９２、９２Ａ、９２Ｂ…可動部材、９２ａ…棒状部、９２ｂ…操作側端部、９２ｃ…操作ハンドル部、９２ｄ…奥側端部、９２ｅ…抜け止めリング、
１０Ｂ…泳動ゲル用トランスイルミネータ、
１００…可動部材、１０１…棒状部、１０１ａ…操作側端部、１０２…操作ハンドル部、２４５…案内部（長穴）、２４６…長穴、
１０Ｃ…泳動ゲル用トランスイルミネータ、１１０…遮光シート、１１０ａ…基端部、１１０ｂ…可動端、１１１…シート支持棒、１１２…遮光ユニット、１１３…抜け止めリング。
【図１】
2010019579.tif 000003
【図２】
2010019579.tif 000004
【図３】
2010019579.tif 000005
【図４】
2010019579.tif 000006
【図５】
2010019579.tif 000007
【図６】
2010019579.tif 000008
【図７】
2010019579.tif 000009
【図８】
2010019579.tif 000010
【図９】
2010019579.tif 000011
【図１０】
2010019579.tif 000012
【図１１】
2010019579.tif 000013
【図１２】
2010019579.tif 000014
【図１３】
2010019579.tif 000015
【図１４】
2010019579.tif 000016